(57)【要約】  【課題】  多用されている光ファイバーの規格品外のリサイクルについて有効な用途を見出すことにある。  【解決手段】  規格品外の１ないし複数本の光ファイバー３と１ないし複数本の天然または合成の繊維糸４とを組み合わせた芯材５に天然または合成の繊維糸７を掛合して光ファイバー利用の合成糸８を形成し、この光ファイバー利用の合成糸８を経糸または緯糸の一部または全部に使用して所定の大きさの織物に形成し、光ファイバー利用の織物をＦＲＰやゴム材、壁材等の内装材として使用するものである。【選択図】        図２  
0003115990.tif 000002
【実用新案登録請求の範囲】
【請求項１】
規格品外の１ないし複数本の光ファイバーと１ないし複数本の天然または合成の繊維糸とを組み合わせた芯材に天然または合成の繊維糸を掛合して光ファイバー利用の合成糸を形成し、
この光ファイバー利用の合成糸を経糸または緯糸の一部または全部に使用して所定の大きさの織物に形成したことを特徴とする光ファイバーリサイクル品。
【請求項２】
規格外品の４〜６本の光ファイバーとその半数または同数の２〜６本の綿糸または合成繊維糸とを組み合わせた芯材とした請求項１に記載の光ファイバーリサイクル品。
【請求項３】
光ファイバー利用の織物をＦＲＰやゴム材、壁材等の内装材として使用した請求項１または２に記載の光ファイバーリサイクル品。
【請求項４】
光ファイバーと天然または合成の繊維糸とを組み合わせた芯材にオーバーロックのメローミシンで天然または合成の繊維糸を巻縫いして光ファイバー利用の合成糸を形成した請求項１ないし３のいずれかに記載の光ファイバーリサイクル品。
【考案の詳細な説明】
【技術分野】
【０００１】
本考案は、リサイクル分野における光ファイバーリサイクル品に関するものである。
【背景技術】
【０００２】
近年、電話やファックス、コンピューターを使用した通信回線が多用されていて、特に多重通信、高速通信のため光ファイバーによる通信が著しく普及している。
【０００３】
しかし、この光ファイバーの製造者において、光ファイバーの製造過程で規格品外のものが大量に発生し、この規格品外の光ファイバーについては廃棄業者に費用を出して廃棄処分を依頼しているものである。この廃棄業者にとっても、現在のところそのリサイクル用途として規格品外の光ファイバーを粉砕処理して道路の骨材などに使用しているにすぎないもので、有効な用途を模索している。
【０００４】
この規格品外の光ファイバーのリサイクルについて特許調査した結果、特開２００３−１７５５５０号公報、特開２００３−１５４５９１号公報、特開２００２−６７２５７号公報などが検索されたが、いずれもリサイクル性に優れたプラスチックに関するものにすぎない。
【特許文献１】特開２００３−１７５５５０号公報
【特許文献２】特開２００３−１５４５９１号公報
【特許文献３】特開２００２−６７２５７号公報
【考案の開示】
【考案が解決しようとする課題】
【０００５】
本考案の解決しようとする課題は、多用されている光ファイバーの大量発生する規格品外のリサイクルについて有効な用途を見出すことにある。
【課題を解決するための手段】
【０００６】
本考案は、上記のような点に鑑みたもので、上記の課題を解決するために、規格品外の１ないし複数本の光ファイバーと１ないし複数本の天然または合成の繊維糸とを組み合わせた芯材に天然または合成の繊維糸を掛合して光ファイバー利用の合成糸を形成し、この光ファイバー利用の合成糸を経糸または緯糸の一部または全部に使用して所定の大きさの織物に形成したことを特徴とする光ファイバーリサイクル品を提供するにある。
【０００７】
また、規格外品の４〜６本の光ファイバーとその半数または同数の２〜６本の綿糸または合成繊維糸とを組み合わせた芯材とした光ファイバーリサイクル品を提供するにある。
【０００８】
さらに、光ファイバー利用の織物をＦＲＰやゴム材、壁材等の内装材として使用した光ファイバーリサイクル品を提供するにある。
【０００９】
さらにまた、光ファイバーと天然または合成の繊維糸とを組み合わせた芯材にオーバーロックのメローミシンで天然または合成の繊維糸を巻縫いして光ファイバー利用の合成糸を形成した光ファイバーリサイクル品を提供するにある。
【考案の効果】
【００１０】
本考案の光ファイバーリサイクル品は、規格品外の１ないし複数本の光ファイバーと１ないし複数本の天然または合成の繊維糸とを組み合わせた芯材に天然または合成の繊維糸を掛合して光ファイバー利用の合成糸を形成したので、規格品外の極細の滑りやすい光ファイバーを天然または合成の繊維糸と絡ませられて光ファイバーが滑るのを防止できる光ファイバー利用の合成糸が作れたものである。
【００１１】
そして、この光ファイバー利用の合成糸を経糸または緯糸の一部または全部に使用して所定の大きさの織物に形成したので、処分に困っている規格品外の光ファイバーを容易に大量利用した織物に再生できて、今後益々用途が多くなるＦＲＰやゴム材、壁材等の内装材として有効活用できるものである。
【００１２】
特に、規格外品の４〜６本の光ファイバーとその半数または同数の２〜６本の綿糸または合成繊維糸とを組み合わせた芯材とすることによって、上記のように規格品外の光ファイバーを大量利用できる光ファイバーが滑るのを防止できる光ファイバー利用の合成糸を得ることができ、有効活用できるものである。
【００１３】
また、光ファイバー利用織物をＦＲＰやゴム材、壁材等の内装材として使用することによって、ＦＲＰやゴム材、壁材等として有効活用できるとともに、安価にこれらのＦＲＰ製品等の強度の向上をはかることもできる。
【００１４】
そして、光ファイバーと天然または合成の繊維糸とを組み合わせた芯材にオーバーロックのメローミシンで天然または合成の繊維糸を巻縫いして光ファイバー利用の合成糸を形成することによって、光ファイバーと天然または合成の繊維糸とを組み合わせた合成糸を容易かつ迅速に製造でき、上記したように有効なリサイクル品を得ることができる。
【考案を実施するための最良の形態】
【００１５】
本考案の光ファイバーリサイクル品は、規格品外の１ないし複数本の光ファイバーと１ないし複数本の天然または合成の繊維糸とを組み合わせた芯材に天然または合成の繊維糸を掛合して光ファイバー利用の合成糸を形成し、この光ファイバー利用の合成糸を経糸または緯糸の一部または全部に使用して所定の大きさの織物に形成したことを特徴としている。
【００１６】
光ファイバーリサイクル品１は、図１のようにオーバーロックのメローミシン２を利用して、廃棄処分されている規格品外の極細の１ないし複数本の光ファイバー３と１ないし複数本の天然または合成の繊維糸４とを組み合わせた芯材５をメローミシン２に供給し、この芯材５をミシン針６を介して天然または合成の繊維糸の針糸７を上記した組み合わせの芯材５に掛合して巻縫いし、光ファイバー利用の合成糸８を形成していくようにしている。
【００１７】
そして、図２のようにこの光ファイバー利用の合成糸８を経糸９または緯糸１０の一部または全部に使用して所定の大きさの織物を編織し、この光ファイバー利用の織物をＦＲＰやゴム材、壁材等の内装材として使用するようにしている。
【００１８】
光ファイバー３は、メーカーで製造されて大量に発生する規格品外のものを利用するもので、安価な無料で入手できて、有効なリサイクル品を安価に製造することができて好ましいものである。
【００１９】
この光ファイバー３は、１本以上でよいが、複数本とすることにより製造しやすい太さにできて、迅速かつ容易に製造できてリサイクル品に対応しやすく、かつ廃棄品を大量に利用して強度を高められて好ましい。また、天然または合成の繊維糸４を組み合わせることにより、光ファイバー３が滑るのを防止できて光ファイバー利用の合成糸８を作れるものである。この繊維糸４としては、光ファイバー３と同じ位の太さのものが好ましいが、本考案の趣旨の範囲でメローミシンに対応して生産しやすい適宜の太さ、本数とすることができ、光ファイバー３にほぼ交互に組み合わせて供給することが好ましい。
【００２０】
上記した合成糸８は、図１のようにオーバーロックのメローミシン２に上記した芯材５の光ファイバー３と繊維糸４とを同時に供給して、搖動昇降するミシン針６の針糸７に上糸１２、下糸１３をかがり縫いして巻縫いすることによって容易かつ迅速に得ることができる。
【００２１】
このように形成した合成糸８を図２のように編成機に経糸９または緯糸１０の一部または全部に使用し、この合成糸８にポリエステル等の合成繊維糸や木綿等の天然繊維糸を編成糸としてやや粗目状に平織り等の所定の大きさの織物を編織していくことができる。織物は、用途によってその幅を適宜に決定でき、緯糸１０にポリエステル等の合成繊維糸を使用することで容易に所定位置で緯糸１０を熱切断できて所定の幅のものを得ることができるとともに、自動車やモーターボートのボディ等のＦＲＰの内装材や、マウンテンバイクのタイヤの内装材、建築物の壁材の内装材、その他の用途に軽量化、補強に有効なリサイクル品として使用することができる。
【実施例】
【００２２】
図１〜図３は、本考案の一実施例を示すものである。メーカーで廃棄処分された規格外の０．０２〜０．１ｍｍ径の光ファイバー３の２〜４本とリサイクル可能な同じ位の径の１０〜２０デニールのポリエステルの繊維糸４の２〜４本を適宜に混合して、図１のようにオーバーロックのメローミシン２のガイド板１１に供給し、メローミシン２を駆動してミシン針６を搖動、昇降して１０〜２０デニールのポリエステルの繊維糸の針糸７を上糸１２、下糸１３を介して掛合して光ファイバー３とポリエステルの繊維糸４を適宜に混合した光ファイバー利用の合成糸８を巻縫いして作っていく。その際、メローミシン２の後方に引っ張り用にローラーを設けて引っ張るようにするのが、円滑に合成糸８を作れて好ましい。
【００２３】
そして、光ファイバー利用の合成糸８を図２のように緯糸として適宜の間隔で供給し、この合成糸８とほぼ同径位のポリエステルの繊維糸９を緯糸および経糸として供給して織物機でやや粗目状に編織していくものである。
【００２４】
このようにして平織り等に編織した光ファイバー品１を図３のように自動車やモーターボートのボディ等のＦＲＰの内装材に使用してＦＲＰ製品１４とし、製品の軽量化、強度を向上できる有効なリサイクル製品を得ることができる。
【００２５】
また、上記した光ファイバー品１を所定幅のものに切断したり、編織したりしてループ化し、マウンテンバイクのタイヤの内装材等に使用し、製品の軽量化、強度を向上できる有効なリサイクル製品を得ることができる。
【００２６】
このように用途に対応して規格品外の所要数の光ファイバーを利用して織物を編織し、軽量で強度を向上できるリサイクル品の活用をはかることができる。
【図面の簡単な説明】
【００２７】
【図１】本発明の一実施例の光ファイバー利用の合成糸の形成説明用図、
【図２】同上の織物の製造説明用図、
【図３】同上の利用用途の説明用図。
【符号の説明】
【００２８】
１…リサイクル品          ２…メローミシン        ３…光ファイバー
４…繊維糸                ５…芯材                ７…繊維糸
８…合成糸
【図１】
0003115990.tif 000003
【図２】
0003115990.tif 000004
【図３】
0003115990.tif 000005